(57)【要約】      （修正有）【課題】ドア本体への装着が容易で、ドア枠の水切部材との干渉が少ないドア用養生具の技術を提供する。【解決手段】ドア本体７０に装着するためのドア用養生具１００において、第１被覆部材２０は、ドア本体７０の一方の面を覆い、第２被覆部材は、ドア本体７０の他方の面を覆い、連結部材１０は、ドア本体７０の上側にて第１被覆部材２０と第２被覆部材とに架設される。ドア本体７０は、上枠８１ａに水切りのための水切部材８４が設けられたドア枠８０に取り付けられる。連結部材１０は、ドア本体７０と水切部材８４との隙間より薄く形成される。【選択図】図５
2017119978.tif 000002
【特許請求の範囲】
【請求項１】
ドア本体に装着するためのドア用養生具であって、
前記ドア本体の一方の面を覆う第１被覆部材と、
前記ドア本体の他方の面を覆う第２被覆部材と、
前記ドア本体の上側にて前記第１被覆部材と前記第２被覆部材とに架設される連結部材と、
を備え、
前記ドア本体は、上枠に水切りのための水切部材が設けられたドア枠に取り付けられ、
前記連結部材は、前記ドア本体と前記水切部材の間の隙間より薄く形成されることを特徴とするドア用養生具。
【請求項２】
前記第１被覆部材と前記第２被覆部材の少なくとも一方の被覆部材の上部には、前記一方の被覆部材の上辺から下向きに延びる側縁部と、前記側縁部の下端から横向きに延びる下縁部と、を有する切り欠き部が形成され、
前記連結部材は、それぞれ横方向に距離を隔てて設けられる第１部分と、第２部分と、第３部分と、を含み、
前記第１部分は、前記下縁部の前記側縁部から離れた位置に固定され、
前記第２部分は、前記上辺の前記側縁部に寄った位置に固定され、
前記第３部分は、前記上辺の前記側縁部から離れた位置に固定されることを特徴とする請求項１に記載のドア用養生具。
【請求項３】
前記連結部材の、前記第１被覆部材の上端から前記第２被覆部材の上端までの長さ寸法は前記ドア本体の厚み寸法より大きく形成されることを特徴とする請求項１または２に記載のドア用養生具。
【発明の詳細な説明】
【技術分野】
【０００１】
本発明は、ドア本体の保護に用いるドア用養生具に関する。
【背景技術】
【０００２】
従来から、ドア本体の保護に用いるドア用養生具が知られている。例えば特許文献１にはドア本体の保護に用いるドア用養生具が記載されている。ドア用養生具は、例えばドア本体の搬送中やドア本体を備える建物の建設中において、そのドア本体を保護するために用いられている。
【先行技術文献】
【特許文献】
【０００３】
【特許文献１】特開２０１２−２０２１３９号公報
【発明の概要】
【発明が解決しようとする課題】
【０００４】
ところで、特許文献１に記載のドア用養生具では、保護対象のドア本体に対し、そのドア本体の縦方向に二本の帯材を横方向に離間して巻き付けた後に、ドア本体の縦方向に並べて設けられる複数の板材を含む被覆材を取り付けることでドア本体に養生具を装着するように構成されている。
【０００５】
このようなドア用養生具では、保護対象のドア本体に養生具を装着するには、まず二本の帯材を装着するステップと、次に装着した二本の帯材に複数の板材を含む被覆材を取り付けるステップの、少なくとも２段階のステップを用いるから、装着の手間が多く掛かる問題がある。
【０００６】
また、ドア枠に支持されるドア本体にこのような養生具を装着すると、養生具の帯材の部分で外側に膨らみ、この状態でドア本体を開閉すると、養生具の上部がドア枠の上辺に設けられた水切部材に干渉して接触することがある。このような状態でドア本体の開閉を繰り返すとやがて水切部材が撚れるように変形することがある。水切部材が変形すると水切りの機能が低下して、雨水などがドア本体に伝わりドア本体を汚損することも考えられる。さらに、特許文献１に記載のドア用養生具では、それぞれ別々の二本の帯材と複数の板材とからなる多数の構成部材を用いるから、構成部材の保管や運搬などの管理が煩雑になる問題もある。
【０００７】
このように従来のドア用養生具には、ドア本体への装着を容易にする観点と、ドア枠の水切部材との干渉を少なくする観点から改善の余地があった。
【０００８】
本発明の目的は、このような課題に鑑みてなされたもので、ドア本体への装着が容易で、ドア枠の水切部材との干渉が少ないドア用養生具の技術を提供することにある。
【課題を解決するための手段】
【０００９】
上記課題を解決するために、本発明のある態様のドア用養生具は、ドア本体に装着するためのドア用養生具であって、ドア本体の一方の面を覆う第１被覆部材と、ドア本体の他方の面を覆う第２被覆部材と、ドア本体の上側にて第１被覆部材と第２被覆部材とに架設される連結部材と、を備える。ドア本体は、上枠に水切りのための水切部材が設けられたドア枠に取り付けられ、連結部材は、ドア本体と水切部材の間の隙間より薄く形成される。
【００１０】
この態様によると、ドア用養生具において、第１被覆部材と第２被覆部材に架設される連結部材を備えるからドア本体への装着が容易で、連結部材が、ドア本体と水切部材との隙間より薄く形成されるから、ドア枠の水切部材との干渉が少ないドア用養生具を提供することができる。
【発明の効果】
【００１１】
本発明によれば、ドア本体への装着が容易で、ドア枠の水切部材との干渉が少ないドア用養生具の技術を提供するができる。
【図面の簡単な説明】
【００１２】
【図１】実施形態に係るドア用養生具の折り曲げた状態の斜視図である。
【図２】実施形態に係るドア用養生具の展開図である。
【図３】図２の一部を拡大して示す拡大図である。
【図４】ドア本体に装着された実施形態のドア用養生具の斜視図である。
【図５】ドア本体に装着された実施形態のドア用養生具の正面図である。
【図６】ドア本体に装着された実施形態のドア用養生具の背面図である。
【図７】実施形態のドア用養生具の保持部を説明する説明図である。
【図８】ドア本体に装着された実施形態のドア用養生具の上部を示す拡大断面図である。
【図９】第２実施形態に係るドア用養生具の折り曲げた状態の斜視図である。
【発明を実施するための形態】
【００１３】
以下、本発明を好適な実施の形態をもとに図１から図９を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
図１は、実施形態に係るドア用養生具１００の斜視図、図２はドア用養生具１００の展開図、図３は後述する上辺切り欠き部２４の周辺を示す拡大図である。ドア用養生具１００はドア本体の戸先側から被せられてドア本体に装着される。図４はドア本体７０に装着されたドア用養生具１００の斜視図、図５はその正面図、図６はその背面図である。以下、ＸＹＺ直交座標系をもとに説明する。方向Ｘは水平な左右方向に対応し、方向Ｙは水平な前後方向に対応し、方向Ｚは鉛直な上下方向に対応する。方向Ｙおよび方向Ｚはそれぞれ方向Ｘに直交する。方向Ｘは左方向あるいは右方向と、方向Ｙは前方向あるいは後方向と、方向Ｚは上方向あるいは下方向と表記することがある。
図１においてドア用養生具１００を矢印Ｐの方向から視て向かって右側を右と、左側を左という。また、各図において、矢印Ｑの方向を被覆部材１８の吊り元側と、矢印Ｒの方向を被覆部材１８の戸先側という。
【００１５】
まず、図５、図６を参照してドア用養生具１００が装着されるドア本体の一例であるドア本体７０と、ドア本体７０が取り付けられたドア枠８０と、ドア本体７０とドア枠８０とに取り付けられるドアクローザ６０とについて説明する。ドア本体７０は、上辺７６ａと右側辺７６ｂを含む４つの周辺と、を有する。上辺７６ａは上側で左右方向に延在し、右側辺７６ｂは上辺７６ａの右端から下向きに延在する。ドア本体７０は、吊り元側が複数（例えば３つ）のヒンジ（不図示）を介してドア枠８０に支持される。ドア本体７０は、右側辺７６ｂを戸先として回動自在に設けられる。ドア本体７０の戸先側の中程には、ドア本体７０を開閉する際に手で掴むための取手部８６が設けられている。
【００１６】
ドア枠８０は、ドア本体７０の上辺７６ａと右側辺７６ｂを含む４つの周辺に対応する４つの枠を有する。ドア本体７０の上辺７６ａに対応する上枠８１ａには左右方向に延在する水切部材８４が設けられる。水切部材８４は例えば弾性を有するゴム状の樹脂材料から形成される。水切部材８４は、下向きに延伸するヒレ形状部を有しており、上枠８１ａの側面から垂れた水滴の上枠８１ａの下面への流れ込みを抑制する（図８も参照）。水切部材８４は、例えば上枠８１ａの室外側である正面側に設けられる。
【００１７】
ドアクローザ６０は、図６に示すようにドア本体７０の上部の吊り元側に寄った位置に取り付けられる。ドアクローザ６０は、例えば人によって開けられたドア本体７０を自動的に閉める働きをする装置である。また、急激に閉じることがないように動作を緩慢にする機能も有する。
【００１８】
次に、図２の展開図を参照してドア用養生具１００について説明する。ドア用養生具１００は、例えばドア本体７０に装着されて、ドア本体７０の表面の傷付きや水濡れなどの可能性を小さくするために設けられる。ドア用養生具１００は、第１被覆部材２０と、第２被覆部材２２と、連結部材１０と、接続帯部３０と、側面帯部３１と、上辺切り欠き部２４と、蓋部材２５と、側辺切り欠き部２６と、窓部３４と、保持部３６と、を含む。なお、第１被覆部材２０と第２被覆部材２２を総称するときは被覆部材１８と表記する。
【００１９】
被覆部材１８は、可とう性を有する略矩形状のシート部材で、例えば塩化ビニール製のフィルムの間にウレタンフォームなどを積層してキルティング状に加工した樹脂製の生地から形成される。被覆部材１８は、このような素材から形成することによって、柔軟で折り曲げ可能で良好な防水性を実現することができる。被覆部材１８には、上辺切り欠き部２４、側辺切り欠き部２６および窓部３４が設けられている。
【００２０】
連結部材１０は、第１被覆部材２０と第２被覆部材２２の上側を連結するための帯状の部材で、例えばポリエステル系の繊維を合成樹脂フィルムで包んだビニール系の素材から形成される。連結部材１０は、このような素材から形成することによって、薄く形成可能で、比較的高い強度を実現することができる。連結部材１０は、一端が第１被覆部材２０に、他端が第２被覆部材２２にそれぞれ縫い合わせにより結合される。連結部材１０については後述する。
【００２１】
接続帯部３０は、第１被覆部材２０と第２被覆部材２２の吊り元側を連結するための横長の帯状の部材で、例えばポリエステル系の繊維を合成樹脂フィルムで包んだビニール系の素材から形成される。接続帯部３０は、このような素材から形成することによって、薄く形成可能で、比較的高い強度を実現することができる。接続帯部３０は、上下方向に離間して複数（例えば５つ）設けられる。接続帯部３０は、一端が第１被覆部材２０と第２被覆部材２２の一方に縫い合わせされて結合され、他端が第１被覆部材２０と第２被覆部材２２の他方に面ファスナー３０ａにより着脱自在に形成される。図２の例では、接続帯部３０の一端は第１被覆部材２０に結合され、接続帯部３０の他端には面ファスナーが３０ａ設けられている。第２被覆部材２２には、接続帯部３０の他端に対応する位置に面ファスナーが３０ａと結合する面ファスナー３０ｂが設けられている。
【００２２】
側面帯部３１は、第１被覆部材２０と第２被覆部材２２の戸先側を連結するための縦長の帯状の部材で、例えばポリエステル系の繊維を合成樹脂フィルムで包んだビニール系の素材から形成される。側面帯部３１は、このような素材から形成することによって、薄く形成可能で、比較的高い強度を実現することができる。側面帯部３１は、上下方向に離間して複数（例えば２つ）設けられる。側面帯部３１は、一端が第１被覆部材２０と第２被覆部材２２の一方に縫い合わせされて結合され、他端が第１被覆部材２０と第２被覆部材２２の他方に面ファスナー３１ａにより着脱自在に形成される。図２の例では、側面帯部３１の一端は第１被覆部材２０に結合され、側面帯部３１の他端には面ファスナーが３１ａ設けられている。第２被覆部材２２には、側面帯部３１の他端に対応する位置に面ファスナーが３１ａと結合する面ファスナー３１ｂが設けられている。
【００２３】
上辺切り欠き部２４は、ドアクローザ６０を逃がすために被覆部材１８の上部の角部に設けられる略矩形状の切り欠き部である。上辺切り欠き部２４は、被覆部材１８の吊り元側に寄った領域に設けられる。ドアクローザ６０は、ドア本体の一方の面に設けられ他方の面には設けられない場合が多いが、ドア用養生具１００では、汎用性を高めるために、第１被覆部材２０と第２被覆部材２２のそれぞれに上辺切り欠き部２４が設けられている。上辺切り欠き部２４は、第１被覆部材２０の上辺２０ａから下向き延びる側縁部２４ｄと、側縁部２４ｄの下端から第１被覆部材２０の左側辺２０ｄに向かって横向きに延びる下縁部２４ｃと、を有している。
【００２４】
図３を参照して蓋部材２５について説明する。なお、蓋部材２５は被覆部材１８に固定されるが、理解を容易にするため、蓋部材２５は被覆部材１８から分離した状態で示している。蓋部材２５は、図３に示すように、上辺切り欠き部２４を覆うための略矩形状の部材である。蓋部材２５は、例えば被覆部材１８と同じ素材から形成される。蓋部材２５は、その下縁部２５ａが上辺切り欠き部２４の下縁部２４ｃの近傍に縫合によって結合される。蓋部材２５は、その一方の側縁部２５ｂには面ファスナー２５ｃが設けられている。側縁部２５ｂは、面ファスナー２５ｃにより上辺切り欠き部２４の側縁部２４ｄの近傍に設けた面ファスナー２５ｄに対して着脱自在に形成されている。
【００２５】
側辺切り欠き部２６は、取手部８６を逃がすための略矩形状の切り欠き部である。側辺切り欠き部２６は被覆部材１８の戸先側の中程の領域に設けられる。取手部８６はドア本体の両側に設けられる場合が多く、ドア用養生具１００では、第１被覆部材２０と第２被覆部材２２のそれぞれに側辺切り欠き部２６が設けられている。側辺切り欠き部２６は、上側に横方向に延在する上縁部２６ａと、下側に横方向に延在する下縁部２６ｃと、側方に縦方向に延在する側縁部２６ｂとを有する。
【００２６】
次に、図５及び図６を参照して窓部３４について説明する。工事中のドア本体は、例えば段ボールなどから形成される梱包材８８に包まれていることがある（図８も参照）。このような梱包材８８の外表面には、内包するドア本体の損傷を防止するためのケアマーク８９などの各種の注意書きが表示されている。このため、ドア用養生具を梱包材８８に包まれたドア本体に装着した場合にも、ドア用養生具の外部からドア用養生具の内側にある梱包材８８の表示を目視できることが望ましい。そこで、ドア用養生具１００では、被覆部材１８の中程に、内側を目視可能にするための開口である窓部３４が設けられている。ドア用養生具１００では、窓部３４によって被覆部材１８の内側にある梱包材８８の表示や内部の状態を目視することができる。窓部３４は、例えば矩形状に形成される。窓部３４は、それぞれ離れて設けられる複数の窓部を含むことができる。窓部３４は、格子状に形成されてもよい。窓部３４は、第１被覆部材２０と第２被覆部材２２の一方に設けるようにしてもよいが、ドア用養生具１００では、第１被覆部材２０と第２被覆部材２２の双方に設けられている。
【００２７】
窓部の部分で遮水の機能が不足する懸念がある。そこで、ドア用養生具１００では、窓部３４に透光性を有するシート３５が設けられている。シート３５によって窓部３４の遮水の機能を補うことができる。シート３５は透光性を有するビニールなどの樹脂から形成することができる。シート３５は窓部３４の上下左右の縁に、例えば溶着などの方法により固定される。
【００２８】
窓部の幅や高さが過度に小さいと、梱包材８８の表示や内部の状態を十分には目視できないことがある。また、窓部の幅や高さが過度に大きいと、ドア用養生具の強度が不足する懸念がある。そこで、ドア用養生具１００では、窓部３４の幅が被覆部材１８の幅の５０％から８０％の範囲に形成されている。また、ドア用養生具１００では、窓部３４の高さが被覆部材１８の高さの５０％から８０％の範囲に形成されている。このように構成することで、内部を目視できる範囲を広く確保しながら、実用的な耐久性を実現することができる。
【００２９】
次に、図７を参照して保持部３６について説明する。図７は、ドア用養生具１００の保持部３６を説明する説明図である。図７は、ドア用養生具１００の第１被覆部材２０のドア本体７０に面する側の一部を示している。荷物を持った作業者は、ドア本体７０の戸先側とドア枠８０の間を通過するから、その荷物や作業者の身体がドア本体７０の戸先側の領域に突き当たることが考えられる。このため、被覆部材１８の戸先側の領域はこのような突き当たりに対するダメージを緩和できることが望ましい。そこで、ドア用養生具１００では、被覆部材１８には、ドア本体７０の戸先側に対応する領域に補強部材５０を保持するための保持部３６が設けられている。補強部材５０は、例えば紙製またはプラスチック製の段ボールなどから形成できる。ドア用養生具１００は、被覆部材１８の戸先側に保持部３６を有するから、保持部３６に補強部材５０を保持して突き当たりに対するダメージを緩和することができる。
【００３０】
被覆部材１８の側辺切り欠き部２６の上側と下側の領域に荷物や作業者の身体が突き当たることが多い。そこで、ドア用養生具１００では、保持部３６は、例えば側辺切り欠き部２６の上側と下側の少なくとも一方に設けられている。被覆部材１８の側辺切り欠き部２６の上側と下側の少なくとも一方の領域で補強が可能になる。
【００３１】
保持部は補強部材を出し入れできることが望ましい。そこで、ドア用養生具１００では、保持部３６は、板状の補強部材５０を収容できる袋状の部分３６ｂを含んでいる。状況や用途に応じて、補強したい場合には保持部３６に補強部材５０を挿し入れ、そうでない場合には保持部３６から補強部材５０を抜き出すことができる。袋状の部分３６ｂは、例えば被覆部材１８の内側の面に矩形状のシートを重ね、当該シートの３辺を被覆部材１８に縫い合わせることで形成することができる。補強部材５０は非縫合の１辺を入口として、そこから挿し入れることができる。特に、ドア用養生具１００では、被覆部材１８の内側の面（ドア本体７０に面する側の面）に袋状の部分３６ｂを含む保持部３６が設けられているから、保持部３６によるドア用養生具１００の外観への影響を小さくできる。
【００３２】
作業現場の事情によっては、補強部材を作成して保持部に保持させる手間を省きたい場合がある。そこで、ドア用養生具１００では、第１被覆部材２０と第２被覆部材２２の少なくとも一つには、補強部材５０を保持した状態で提供することができる。
【００３３】
（連結部材）
次に、図８を参照して連結部材１０について説明する。図８は、ドア本体７０に装着されたドア用養生具１００の上部を示す拡大断面図である。図８は図５のＡ−Ａ線に沿って切断した縦断面の上側の一部を示している。ドア枠８０の上枠８１ａには左右方向（方向Ｘ）に延在する水切部材８４が設けられる（図５も参照）。水切部材８４の下端８４ａは、通常のドア本体７０の使用時にドア本体７０と接触しないように、ドア本体７０の上辺７６ａの上端７０ｅから所定の隙間（例えば１．９ｍｍ）を開けて設けられる。しかし、ドア用養生具が装着された場合には、ドア本体７０の上端７０ｅと水切部材８４の下端８４ａとの間にドア用養生具の連結部材が介在する。連結部材がこの隙間以上に膨らむと、ドア本体７０を開閉する際に、連結部材が水切部材８４の下端８４ａと擦れて水切部材８４が変形することがある。そこで、ドア用養生具１００では、図８に示すように、ドア本体７０の上側にて第１被覆部材２０と第２被覆部材２２とに架設される連結部材１０を備え、連結部材１０は、ドア本体７０と水切部材８４の間の隙間より薄く形成されている。連結部材１０が、ドア本体７０の上端７０ｅと水切部材８４の下端８４ａの間の隙間より薄く形成されるから、ドア本体７０に装着された状態で連結部材１０が水切部材８４の下端８４ａと接触する可能性を低くすることができる。下端８４ａと接触する可能性を低くする観点から、連結部材１０の厚みは、１ｍｍ以下が好ましく、０．７ｍｍ以下はより好ましく、０．５ｍｍ以下はさらに好ましい。連結部材１０の強度を維持する観点から、連結部材１０の厚みは０．１ｍｍ以上が好ましい。
【００３４】
連結部材１０が水切部材８４と接触する可能性は低い方が望ましい。そこで、ドア用養生具１００では、連結部材１０は、図２に示すように、それぞれ距離を隔てて設けられる第１部分１２と、第２部分１４と、第３部分１６と、を含んでいる。連結部材１０を複数（例えば３つ）に分割して距離を隔てて設けることで連結部材１０の実質的な幅が小さくなり、連結部材１０が水切部材８４と接触する可能性を小さくすることができる。
【００３５】
図３を参照する。ドア本体７０に装着された状態のドア用養生具１００では、上辺切り欠き部２４の下縁部２４ｃの吊り元側の角部２４ｆや側縁部２４ｄの上側の角部２４ｇがその自重で手前側にめくれて垂れ下がることがある。角部２４ｆや角部２４ｇが垂れ下がるとその部分でドア本体７０の露出が増えてその部分で防水機能が低下することがある。また角部が垂れ下がる状態は外観上で好ましいとはいえない。そこで、ドア用養生具１００では、図３に示すように、第１部分１２は、下縁部２４ｃの下側で側縁部２４ｄから離れた位置に固定され、第２部分１４は、上辺２０ａの側縁部２４ｄに寄った位置に固定され、第３部分１６は、上辺２０ａの側縁部２４ｄから離れた位置に固定されている。特に、第１部分１２は下縁部２４ｃの角部２４ｆに固定され、第２部分１４は側縁部２４ｄの角部２４ｇに固定され、第３部分１６は戸先側の端の角部２４ｈに固定されている。このように構成することによって、角部２４ｆや角部２４ｇの垂れ下がりを抑制することができる。
【００３６】
被覆部材１８がドア本体７０の上端７０ｅから上側に突き出ると、被覆部材１８が水切部材８４の下端８４ａに接触することがある。そこでドア用養生具１００では、連結部材１０の第１被覆部材２０の上辺２０ａから第２被覆部材２２の上辺２２ａまでの長さ寸法Ｌはドア本体７０の厚み寸法より大きく形成されている。特に、連結部材１０の長さ寸法Ｌは、ドア本体７０の厚み寸法より、例えば３０ｍｍから７０ｍｍの範囲で大きくしてもよい。例えば、ドア本体７０の厚み寸法が４０ｍｍから６０ｍｍの範囲である場合に、長さ寸法Ｌは７０ｍｍから１３０ｍｍの範囲に形成することができる。ドア用養生具１００では、連結部材１０の長さ寸法Ｌは９０から１１０ｍｍの範囲に形成されている。
【００３７】
次に、ドア用養生具１００をドア本体７０に装着する方法の一例について説明する。まず、運搬用に折り畳まれていたドア用養生具１００を図２の様に展開する。次に、第１被覆部材２０と第２被覆部材２２が対面するように、それらの上側を上にして持ち上げる。次に、第１被覆部材２０と第２被覆部材２２とでドア本体７０を挟むように、ドア本体７０の戸先側からドア本体７０に被せる。この際、連結部材１０がドア本体７０の上端部を跨ぐように作業する。次に、接続帯部３０の他端をドア本体７０の外側から挿し入れて、第１被覆部材２０の面ファスナー３０ｂに面ファスナーが３０ａを結合する。次に、側面帯部３１の他端をドア本体７０の外側に巻き付けて第２被覆部材２２の面ファスナー３１ｂに面ファスナー３１ａを結合する。
【００３８】
次に、本発明の実施の形態のドア用養生具１００の特徴を説明する。
ドア用養生具１００では、ドア本体７０の一方の面を覆う第１被覆部材２０と、ドア本体７０の他方の面を覆う第２被覆部材２２と、ドア本体７０の上側にて第１被覆部材２０と第２被覆部材２２とに架設される連結部材１０と、を備えるから、大部分の構成部品が一体に結合された状態で作業現場に提供可能で、構成部材の保管や運搬などの管理の手間を少なくすることができる。また、ドア用養生具１００では、連結部材１０がドア本体７０と水切部材８４との隙間より薄く形成されるから、連結部材１０が水切部材８４と接触する可能性を小さくすることができる。
【００３９】
ドア用養生具１００では、第１被覆部材２０と第２被覆部材２２の少なくとも一方の被覆部材には、ドア本体７０に取り付けられるドアクローザ６０を逃がすための上辺切り欠き部２４が設けられており、上辺切り欠き部２４は、第１被覆部材２０の上辺２０ａから下向きに延びる側縁部２４ｄと、側縁部２４ｄの下端から第１被覆部材２０の左側辺２０ｄに向かって横向きに延びる下縁部２４ｃと、を有しているから、ドアクローザが取り付けられたドア本体に対しても容易に装着することができる。
【００４０】
また、ドア用養生具１００では、連結部材１０は、それぞれ横方向に距離を隔てて設けられる第１部分と、第２部分と、第３部分と、を含むから、連結部材１０の実質的な幅が小さくなり、連結部材１０が水切部材８４と接触する可能性を小さくすることができる。
【００４１】
また、ドア用養生具１００では、第１部分１２は下縁部２４ｃの下側で側縁部２４ｄから離れた位置に固定され、第２部分１４は上辺２０ａの側縁部２４ｄに寄った位置に固定され、第３部分１６は上辺２０ａの側縁部２４ｄから離れた位置に固定されているから、第１部分１２は角部２４ｆを支持し、第２部分１４は角部２４ｇ支持し、第３部分１６は戸先側を支持することができる。
【００４２】
ドア用養生具１００は、連結部材１０の第１被覆部材２０の上辺２０ａから第２被覆部材２２の上辺２２ａまでの長さ寸法Ｌはドア本体７０の厚み寸法より大きく形成されているから、被覆部材１８のドア本体７０の上端７０ｅからの突出しを抑制することができる。
【００４３】
次に、図９を参照して本発明の第２実施形態のドア用養生具２００について説明する。図９は、第２実施形態に係るドア用養生具２００の折り曲げた状態の斜視図である。図９は図１に対応する。ドア用養生具２００は、ドア用養生具１００に対して、連結部材１０が第２部分１４および第３部分１６に代えて連続部分２８を含む点で異なり、他の構成は同様である。したがって重複する説明は省略する。連続部分２８は、上辺切り欠き部２４の側縁の近傍から戸先側の端に架けて連続して設けられる。ドア用養生具２００は連続部分２８を有することによりドア用養生具２００の戸先側の下ズレを抑えることができる。ドア用養生具２００は、ドア用養生具１００と共通する構成を備えることによって既述したドア用養生具１００の特徴を有している。
【００４４】
以上、本発明の実施の形態をもとに説明した。これらの実施の形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００４５】
説明に使用した図面では、部材の関係を明瞭にするために一部の部材の断面にハッチングを施しているが、当該ハッチングはこれらの部材の素材や材質を制限するものではない。
【符号の説明】
【００４６】
１０  連結部材、  １２  第１部分、  １４  第２部分、  １６  第３部分、
１８  被覆部材、  ２０  第１被覆部材、  ２０ｂ  右側辺、
２２  第２被覆部材、  ２４  上辺切り欠き部、  ２４ｃ  下縁部、
２４ｄ  側縁部、  ２６  側辺切り欠き部、  ３０  接続帯部、
３１  側面帯部、  ３４  窓部、  ３５  シート、  ３６  保持部、
５０  補強部材、  ６０  ドアクローザ、  ７０  ドア本体、
８０  ドア枠、  ８４  水切部材、  ８６  取手部、  ８８  梱包材、
８９  ケアマーク、  １００  ドア用養生具、  ２００  ドア用養生具。
【図１】
2017119978.tif 000003
【図２】
2017119978.tif 000004
【図３】
2017119978.tif 000005
【図４】
2017119978.tif 000006
【図５】
2017119978.tif 000007
【図６】
2017119978.tif 000008
【図７】
2017119978.tif 000009
【図８】
2017119978.tif 000010
【図９】
2017119978.tif 000011